(57)【特許請求の範囲】
【請求項１】
挿入部の先端部に配置され、被写体像を結像する対物レンズ系を保持するレンズ枠と、
前記対物レンズ系で結像された像を撮像する撮像素子と、
前記撮像素子より基端方に向けて延出され、少なくとも当該撮像素子からの画像データを伝送するための撮像ケーブルと、
前記撮像ケーブルを被覆する可撓性保護チューブと、
前記可撓性保護チューブの外周面を覆う環状部材であって、当該外周面を覆った後に圧着により当該外周面に圧接固定される金属環と、
少なくとも前記撮像素子を内設する枠部材であって、一端を前記レンズ枠に対して気密的に固定し他端を前記金属環の外周面に対して半田により固着した金属枠と、
を具備したことを特徴とする内視鏡。
【請求項２】
前記金属枠に穿設された、前記金属枠を前記金属環の外周面に対して固着するための半田を当該金属環を覆う部分に注入するための半田注入用孔をさらに有することを特徴とする請求項１に記載の内視鏡。
【請求項３】
前記金属枠の径は、基端方に向けて漸次細径化するように形成されたことを特徴とする請求項１または２に記載の内視鏡。
【発明の詳細な説明】
【０００１】
【発明の属する技術分野】
本発明は高温高圧の蒸気滅菌に適した内視鏡に関する。
【０００２】
【従来の技術】
医療用内視鏡の場合、使用した内視鏡を確実に滅菌処理することが感染症などを防止するために必要不可欠になる。洗浄液で消毒や滅菌をする場合は、消毒作業が煩雑であり、洗浄液の廃液処理に多大な費用が必要となる欠点がある。そこで、最近では、煩雑な作業を伴わない熱滅菌（オートクレーブ等）が内視鏡機器、特に硬性鏡では主流になりつつある。
【０００３】
前記内視鏡の内、例えば電子内視鏡においては、内視鏡の先端部に湿気などの水分が僅かでも侵入すると、対物光学系に内側から曇りを生じさせたり、固体撮像素子のカラーフィルタなどを劣化させるなどの恐れがある。また、固体撮像素子と伝送手段を接続する端子部分などを腐食させたり、短絡させたりする恐れもある。
【０００４】
そして、このような状態で得られる内視鏡画像は画質が著しく低下したものとなってしまう。そこで、内視鏡内部への湿気などの水分の侵入を防ぐことによって内視鏡内部に配設された各構成部材の劣化などを防止するための手段が種々提案されている。特に、撮像ユニットの部分についての提案は多く出されているが、伝送手段と信号線の部分を気密にする提案は少ない。
【０００５】
【発明が解決しようとする課題】
特開平９−１９２０９３号公報は、信号線に被嵌した可撓性保護チューブを糸で緊締した部分に被覆チューブをかぶせ、接着剤で固着したものがあるが、内視鏡内部への湿気などの侵入を防止することは可能であるが、オートクレーブ滅菌を行う際の高圧高温蒸気の環境に曝された場合には、可撓性保護チューブ及び接着剤を構成している樹脂から蒸気などが侵入するという不具合があった。
【０００６】
また、特開平１０−２３４６４９号公報は、撮像ユニットと信号線の間に隔壁を設け、撮像ユニットと信号線側を各々気密的に封止するようにしたものもあるが、内視鏡の先端部長が長くなったり、外径が太くなったりするという不具合があった。
【０００７】
本発明は、上述した点に鑑みてなされたもので、硬質の先端部長を長くしたり、外径を太くせずに気密構造の撮像系或いは観察系を有する内視鏡を提供することを目的としている。
【０００８】
【課題を解決するための手段】
前記の目的を達成するために、本発明は、挿入部の先端部に配置され、被写体像を結像する対物レンズ系を保持するレンズ枠と、前記対物レンズ系で結像された像を撮像する撮像素子と、前記撮像素子より基端方に向けて延出され、少なくとも当該撮像素子からの画像データを伝送するための撮像ケーブルと、前記撮像ケーブルを被覆する可撓性保護チューブと、前記可撓性保護チューブの外周面を覆う環状部材であって、当該外周面を覆った後に圧着により当該外周面に圧接固定される金属環と、少なくとも前記撮像素子を内設する枠部材であって、一端を前記レンズ枠に対して気密的に固定し他端を前記金属環の外周面に対して半田により固着した金属枠と、を具備したことを特徴とする。
【０００９】
【発明の実施の形態】
以下、図面を参照して本発明の実施の形態を説明する。
（第１の実施の形態）
図１ないし図３は本発明の第１の実施の形態に係り、図１は第１の実施の形態の電子内視鏡の構成を示し、図２は先端部内の撮像ユニットの構成を示し、図３は図２におけるＣＣＤとフレキシブルプリント基板との接続部を拡大して示す。
【００１０】
電子内視鏡１は可撓性を有する細長の挿入部２と、この挿入部２の後端（近位端）に設けられた操作部３と、この操作部３から側方に延出されたユニバーサルケーブル４と、このユニバーサルケーブル４の端部に設けたコネクタ５とを有する。
【００１１】
挿入部２は先端（遠位端）に設けられた硬質の先端部６と、この先端部６の後端に設けられた湾曲自在の湾曲部７と、この湾曲部７の後端から操作部３まで延びる長尺の可撓部８とを有し、操作部３に設けた湾曲操作ノブ９を操作することにより、湾曲部７を湾曲することができる。
【００１２】
挿入部２内には照明光を伝送するライトガイド１１が挿通され、このライトガイド１１の後端側は操作部３からさらにユニバーサルケーブル４内を挿通されてコネクタ５から突出するライトガイド口金１２に固定されている。
【００１３】
このライトガイド口金１２を図示しない光源装置に接続することにより、光源装置内のランプで発生した照明光が供給され、ライトガイド１１によりその先端面側に伝送される。このライトガイド１１の先端は先端部６を構成する硬質の先端部本体１３の照明窓を形成する透孔に口金１４を介して半田付け或いは接着剤で固定され、その先端面に対向して拡径にした照明窓に気密的に照明レンズ１５が固着されている。そして、伝送した照明光を先端面からさらに照明レンズ１５を経て出射し、前方の患部等の被写体側を照明する。
【００１４】
なお、ライトガイド１１は可撓性を有するファイバを束ねたファイババンドルで構成され、このファイババンドルは可撓性のチューブ１６で覆われており、その先端は口金１４に固着されている。
【００１５】
この金属部材で形成された先端部本体１３には照明窓に隣接して、撮像窓を有する透孔が設けてあり、撮像する機能を備えた撮像ユニット１７が図示しないネジ等で固着されている。この撮像ユニット１７の後端から撮像された画像を伝送する（電気的な画像の伝送体としての）撮像ケーブル（或いは信号ケーブル）１８が延出されている。この撮像ケーブル１８は可撓性の保護チューブ１９で覆われている。
【００１６】
この撮像ケーブル１８は挿入部２内を経て操作部３からユニバーサルケーブル４内を挿通されてコネクタ５の側部に設けた電気コネクタ２１に接続される。この電気コネクタ２１は図示しないスコープケーブルを介してビデオプロセッサに接続される。
【００１７】
先端部本体１３の後端には第１の湾曲駒２２が半田付けなどで固着され、この第１の湾曲駒２２の後端には第２の湾曲駒２２がリベット等の回動自在の連結部材を介して連結されるようにして多数の湾曲駒２２が互い回動自在に連結されて湾曲部７が形成されている。これら湾曲駒２２の外周はゴムチューブ等の柔軟性のある外皮２３で覆われており、この外皮２３の前端も先端部本体１３に気密的に固着されている。
【００１８】
また操作部３の前端付近には処置具チャンネルの挿入口２４が設けてあり、この挿入口２４は内部で図示しないチャンネルと連通している。
図２は先端構成部６に内蔵される撮像ユニット１７の構造を示す。
【００１９】
この撮像ユニット１７は、被写体像を結ぶ対物レンズ系３１と、この対物レンズ系３１を構成する各レンズ３２が取り付けられたレンズ枠３３に嵌合して固定された素子固定枠としてのＣＣＤ固定枠３４にカバーレンズ３５を介して固定され、前記対物レンズ系３１の結像位置に位置決めされる固体撮像素子としての電荷結合素子（ＣＣＤと略記）３６とを有し、このＣＣＤ３６のボンディングパッド列に電気的に接続したフレキシブルプリント基板（以下ＦＰＣという）３７はＣＣＤ３６の裏面側に延出され、撮像ケーブル１８と接続されると共に、ＣＣＤ３６の裏面側に配置した硬質の硬質基板３８に接続され、この硬質基板３８にはチップコンデンサ３９、ＩＣチップ４０等の回路素子が実装されている。
【００２０】
上記対物レンズ系３１を構成する第１レンズ３２ａは、例えばその外周面をメタライズして金属製で円筒形状のレンズ枠３３にろう付けしてその内部を気密構造にして高温、高圧の水蒸気滅菌の際においても蒸気が内部に侵入するのを防止できる構造にしている。
【００２１】
この第１レンズ３２ａの内側には通過する光束量を制御する明るさ絞り４１が固着されている。第２レンズ３２ｂ以降のレンズは接着剤等でレンズ枠３３に固着されている。
【００２２】
このレンズ枠３３にはＣＣＤ固定枠３４の前端側が嵌合しＣＣＤ３６のイメージエリア（撮像面）にフォーカス状態で像を結ぶ状態にピント合わせした後、その前端付近で半田４２で接合され、接合部の内部を気密構造にしている。
【００２３】
このＣＣＤ固定枠３４の後端側の開口部分にはＣＣＤ３６の前面のイメージエリアを覆うように接着されたカバーガラス３５がその前端の周縁にマスク４３を貼着された状態で嵌入されて接着剤等で固定されている。
【００２４】
このＣＣＤ３６は、ほぼ長方形の板形状で、その前面には正方形のイメージエリアが例えば上方側に偏心して設けられ、イメージエリアに隣接する下端側にはライン状にボンディングパッド列が設けてある。なお、イメージエリアの中心は対物レンズ系３１の光軸上に位置するように取り付けられている。
【００２５】
上記ボンディングパッド列に電気的に接続されるＦＰＣ３７は例えばポリイミドなどの材質により形成された基材の両面に電気パターンを配設して構成されている。
【００２６】
即ち、基材の表面には複数の細線状を成す内部パターンが構成されていて、この内部パターンが基材から一端部及び他端部からそれぞれ延出し、一端部はＣＣＤ３６に接続するためのインナリード３７ａとなっており、図３に示すようにこのインナリード３７ａがＣＣＤ３６のボンディングパッド列にバンプ４４を介して接続されている。図３に示すようにバンプ４４を介しての接続部は封止樹脂４５により覆うようにして固定されている。
【００２７】
このＦＰＣ３７はＣＣＤ３６の下端の面に沿いさらに裏面に沿って上側に折り曲げられた後、更に、ＣＣＤ３６の裏面に対してその長手方向が垂直となるように配置された硬質基板３８のパターン面に沿って折曲げられ、このＦＰＣ３７の他端部から延出されたアウタリード３７ｂは半田４６により、硬質基板３８のパターンに接続されている。
【００２８】
ＣＣＤ３６の裏面側に折り曲げられたＦＰＣ３７は、接着剤４７を用いて固定されており同様に硬質基板３８のパターン面に折り曲げられたＦＰＣ３７も接着して固定されている。
【００２９】
この硬質基板３８は、例えばセラミック等の材質により形成された基材の両面に図示しない電気パターンを配設して構成されていて、一方の面がパターン面、他方の面が電子部品実装面となっている。そして、パターン面には上記ＦＰＣ３７のアウターリード３７ｂが接続され、電子部品実装面には、電子部品であるＩＣチップ３９及び電子部品であるチップコンデンサ４０等が実装されるいる。
【００３０】
また、チップコンデンサ３９及びＦＰＣ３７には撮像ケーブル１８の芯線１８ａが半田４８、４９で接続されている。
このように、ＦＰＣ３７のケーブル用パッドには複数の同軸線で形成された撮像ケーブル１８の内の何本かの芯線１８ａが半田４９を用いて電気的に接続されていると共に、前記チップコンデンサ３９の接続部には残りの同軸線の芯線１８ａが半田４８を用いて電気的に接続されている。
【００３１】
撮像ケーブル１８は中心側から芯線１８ａ、絶縁被覆１８ｂ、シールド線１８ｃとを有する同軸線を複数本束ねて構成されており、その先端部分にケーブル押さえ糸５０を用いることにより各同軸線を結束して固定している。
【００３２】
これらのＦＰＣ３７や硬質基板３８を覆うようにして前記ＣＣＤ固定枠３４の後端にその前端が嵌合して固定された金属枠からなるシールド枠５１が配設されていて、このシールド枠５１はシールド線１８ｃと導通し、撮像ユニット１７をシールドする。このシールド枠５１の内部には絶縁性の封止樹脂５２が充填されている。
【００３３】
上記撮像ケーブル１８は可撓性を有する保護チューブ１９で覆われて保護され、この保護チューブ１９の先端部付近には金属環５３が圧着固定して、つまり、かしめにより圧着するようにして取り付けられている。
【００３４】
圧着（かしめ）による金属環５３の固定により、金属環５３と保護チューブ１９との密着性が高まりる。（軟性の保護チューブ１９に金属環５３が喰い込むことにより気密が保たれる、又、必要に応じて、予め接着剤を塗布しても良い。
【００３５】
そして、上記ＣＣＤ固定枠３４と金属環５３の外側を例えばテーパ状、つまり後細り形状にした金属枠５４の後端により被覆しており、この金属枠５４の他端部は前記金属環５３も被覆するようになっている。
【００３６】
この金属枠５４はその前端がＣＣＤ固定枠３４の外周面の例えば中央付近まで覆い、先端部分を気密性のある半田５５で気密的に覆うようにしている。また、この金属枠５４の後端は金属環５３の外側を覆い、この金属環５３を覆う部分には半田注入用孔５６が設けてあり、この半田注入用孔５６に溶融した気密性のある半田５７を注入して金属枠５４とその内側の金属環５３とを気密的に固着するようにしている。
【００３７】
つまり、金属枠５４の両端を蒸気を通さないもの（例えば半田）で固着することにより撮像ユニット１７及び撮像ケーブル１６を含む構成部分を気密構造にするようにしていることが特徴となっている。
【００３８】
本実施の形態によれば、撮像ユニット１７を内蔵した電子内視鏡を内視鏡検査に使用する前或いは後にオートクレーブ滅菌装置内に入れて高温高圧の水蒸気中で滅菌処理した場合、以下の作用で撮像ユニット１７の内部に水蒸気が侵入するのを有効に防止できる。
【００３９】
具体的には、レンズ枠３３とＣＣＤ固定枠３４とが気密的に連結固定され、さらにＣＣＤ固定枠３４の外周面で先端が気密的に固定された金属枠５４により、ＣＣＤ３６、硬質基板３８及びこれらと接続された撮像ケーブル１８の先端側は覆われている。
【００４０】
この場合、従来例においても、ＣＣＤ３６、硬質基板３８等の周囲は金属枠部材で覆われた構造のものがあるが、本実施の形態では撮像ケーブル１８の結束した部分の先端部付近の外周を金属環５３でかしめるようにして覆い、かしめない場合における隙間から蒸気が侵入する経路を遮断し、さらにこの金属環５３の外側を（その前端がＣＣＤ固定枠３４までを一体的に覆う）金属枠５４の後端部で覆い、半田５７で気密的に固定する構造にしているので、この金属枠５４によりその内部に蒸気が侵入するのを有効に防止できる。
【００４１】
また、レンズ枠３３の前端には対物レンズ系３１を構成する第１レンズ３２ａがその外周面をメタライズ処理して金属製のレンズ枠３３に気密的に固定されているので、この第１レンズ３２ａの内側に蒸気が侵入することも防止できる。
【００４２】
このように本実施の形態によれば、撮像ユニット１７は従来技術の欄で説明した特開平１０−２３４６４９号のような隔壁を設けることなく、撮像ケーブル１８とを気密性を保持して接続する構造にしているので、この撮像ユニット１７を先端部６内に収納した場合、先端部６の硬質部長を短くすることができるし、隔壁を設けた場合よりも先端部６を細径化できる。また、その構成を簡単化でき、低コスト化することもできる。
【００４３】
なお、上記説明の半田注入用孔５６の代わりに切り欠きを設けて切り欠きに溶融した半田５７を注入して気密的に固定するようにしても良い。
また、撮像ユニット１７部分を予め気密な構成にした後に、金属枠５４を被覆しても同様な効果を奏する。
【００４４】
また、金属枠５４としては、樹脂性の枠の外周面或いは内周面にメッキ等の金属膜を施したものの場合も含む。また、シールド枠５１を省略して金属枠５４でシールド枠５１による機能を兼ねるようにしても良い。
上記実施の形態では電子内視鏡１の場合について説明を行ったが、以下の第２の実施の形態で説明するファイバスコープの場合にも適用できる。
【００４５】
（第２の実施の形態）
次に本発明の第２の実施の形態を図４及び図５を参照して説明する。
図４は本発明の第２の実施の形態の光学式の軟性内視鏡、つまりファイバスコープ６１を示す。このファイバスコープ６１は可撓性の挿入部６２と操作部６３と接眼部６４とライトガイドケーブル６５と、ライトガイドケーブル６５の端部に設けたライトガイドコネクタ６６とからなる。
【００４６】
また、挿入部６２は硬質の先端部６７と、湾曲部６８と、可撓部６９とからなり、操作部６３に設けた湾曲操作ノブ７０を操作することにより湾曲部６８を湾曲することができる。
上記操作部６３の前端付近には処置具挿通口７１が設けてある。
【００４７】
挿入部６２内にはライトガイド７２が挿通され、このライトガイド７２の後端側は操作部６３からさらにライトガイドケーブル６５内を挿通されてライトガイドコネクタ６６から突出するライトガイド口金７３に固定されている。
【００４８】
このライトガイド口金７３を図示しない光源装置に接続することにより、光源装置内のランプで発生した照明光が供給され、ライトガイド７２によりその先端面側に伝送される。このライトガイド７２の先端は先端部６７を構成する硬質の先端部本体７４の照明窓を形成する透孔に口金７５を介して半田付け或いは接着剤で固定され、その先端面に対向して拡径にした照明窓に気密的に照明レンズ７６が固着されている。そして、伝送した照明光を先端面からさらに照明レンズ７６を経て出射し、前方の患部等の被写体側を照明する。
【００４９】
なお、ライトガイド７２は可撓性を有するファイバを束ねたファイババンドルで構成され、このファイババンドルは可撓性のチューブ７７で覆われており、その先端は口金７５に固着されている。
【００５０】
この先端部本体７４には照明窓に隣接して、観察窓を形成する透孔が設けてあり、観察ユニット７８の先端側が図示しないネジ等で固着されている。この観察ユニット７８の後端から画像（より具体的には光学像）を伝送するイメージガイド７９が延出され、このイメージガイド７９は可撓性の保護チューブ８０で覆われている。
【００５１】
図５に示すように観察ユニット７８は被写体の像を結ぶ対物レンズ系８１と、この対物レンズ系８１のレンズ８２ａ〜８２ｃが取り付けられたレンズ枠８３に嵌合してその前端側が気密的に固定される金属枠としてのＩＧ連結枠８４と、このＩＧ連結枠８４の後端側で金属環８５を介してその先端部が（対物レンズ系８１による結像位置にその先端面が位置するようにして）固定される光学的な伝送体とそてのイメージガイド７９とを有する。
【００５２】
イメージガイド７９は外周面が可撓性の保護チューブ８０で覆われ、その先端部付近の外周面には金属環８５がかしめ等により圧着固定され、この金属環８５の外周面にＩＧ連結枠８４の後端部が気密的に固定される。
【００５３】
対物レンズ系８１を構成する第１レンズ８２ａは例えばその外周面がメタライズ処理されて金属製のレンズ枠８３に半田付け等で気密的に固定される。
第１レンズ８２ａの内側の面には絞りが配置され、スペーサ等を介してレンズ８２ｂ、８２ｃ等が接着剤等でレンズ枠８３に固定されている。
【００５４】
また、レンズ枠８３にその前端側が嵌合するＩＧ連結枠８４は先端付近の外周面に孔８６が設けてあり、この孔８６に溶融した半田８７を注入してレンズ枠８３に気密的に固定される。
【００５５】
また、ＩＧ連結枠８４の後端側にも孔８８が設けてあり、金属環８５を覆う状態でこのこの孔８８に半田８９を注入して金属環８５と気密的に固定できるようにしている。
【００５６】
このような構造にすることにより、レンズ８２ｃとイメージガイド７９の先端面との間を気密構造にして、オートクレーブ滅菌処理の際にもこの部分に蒸気が侵入するのを有効に防止している。
【００５７】
つまり、イメージガイド７９の先端部を可撓性の保護チューブ８０で覆った構造の場合には、その保護チューブ８０を介してイメージガイド７９の先端面に蒸気が侵入し易いが、本実施の形態では金属環８５で保護チューブ８０をかしめて密着性をあげて水蒸気の侵入を阻止し、さらに対物レンズ系８１における最終レンズ８２ｃとイメージガイド７９の先端部との間をレンズ枠８３と金属環８５を気密的に連結固定するＩＧ連結枠８４で気密的に覆うようにしているので、その間に蒸気が侵入するのを有効に防止できる。
【００５８】
本実施の形態における観察ユニット７８によれば、イメージガイド７９の先端側を金属製の口金部材を用いることなく、その先端面に蒸気が侵入するのを防止できる気密構造にしているので、観察ユニット７８の硬質部分の長さを短くできる。
【００５９】
従って、この観察ユニット７８を収納した場合の先端部６７の硬質部長の長さを短くでき、挿入性を向上することもできる。また、イメージガイド７９の先端側を金属製の口金部材で覆う構造の場合よりも低コスト化することが可能となる。
【００６０】
第１及び第２の実施の形態によれば、電子内視鏡１の撮像ケーブル１８を保護する可撓性の保護チューブ１９またはファイバスコープ６１のイメージガイド７９を構成するファイババンドルを保護する可撓性の保護チューブ８０を金属環５３或いは８５で圧着し、金属枠５４或いはＩＧ連結枠８４と金属環５３或いは８５を半田で固着したので電子内視鏡１或いはファイバスコープ６１の先端部６或いは６７の硬質部長を長くしたり、太くしたりすることなく気密を保持できる撮像系或いは観察系を構成できるという効果を奏する。
【００６１】
［付記］
１．挿入部の先端部に配置され、被写体像を結像する対物レンズ系を保持するレンズ枠と、前記対物レンズ系で結像され画像を伝送する可撓性保護チューブで被覆された伝送体と、前記可撓性保護チューブの対物レンズ系側端部に圧着固定された金属環と、一端を前記レンズ枠に固着し他端を前記金属環に固着した金属枠とを具備したことを特徴とする内視鏡。
【００６２】
２．付記１において、
前記伝送体は、固体撮像素子とこの固体撮像素子に接続された信号ケーブルからなり、前記信号ケーブルを前記可撓性保護チューブで被覆したことを特徴とする内視鏡。
３．付記２において、
前記レンズ枠は、前記対物レンズ系を保持するレンズ枠と、前記固体撮像素子を保持する固体撮像素子枠からなることを特徴とする内視鏡。
【００６３】
４．付記１において、
前記金属環と前記金属枠とを半田で固着したことを特徴とする内視鏡。
５．付記１において、
前記金属環と前記可撓性保護チューブとを固着剤を介在させて圧着固定したことを特徴とする内視鏡。
６．付記１において、
前記伝送体は、光学像伝送部材からなり、前記光学像伝送部材を前記可撓性保護チューブで被覆し、前記レンズ枠と前記金属環に前記金属枠を固着したことを特徴とする内視鏡。
【００６４】
７．挿入部の先端部に配置され、被写体像を結像するレンズを有する対物光学系と、前記対物光学系の後方に配置され、結像された被写体像を電気信号に変換して伝送する伝送手段が気密的に封止された撮像ユニットを有する内視鏡において、  前記伝送手段から画像信号を伝送する信号線を保護する可撓性保護チューブと、前記可撓性チューブの遠位端部に被嵌し、圧着かしめた金属環と、遠位端が前記撮像ユニットを被嵌し、近位端は前記金属環に嵌入するようにした前記撮像ユニットを保護する金属枠とからなる前記金属環と、前記金属枠を気密性のある部材で固着したことを特徴とする内視鏡。
【００６５】
８．挿入部の先端部に配置され、被写体像を結像するレンズを有する対物光学系と、前記対物光学系の後方に配置され、結像された被写体像を電気信号に変換して伝送する伝送手段からなる撮像ユニットを有する内視鏡において、
前記伝送手段から画像信号を伝送する信号線を保護する可撓性保護チューブと、前記可撓性チューブの遠位端部に被嵌し、圧着かしめた金属環と、遠位端が前記撮像ユニットを被嵌し、近位端は前記金属環に嵌入し、前記撮像ユニットを気密的に保護する金属枠とからなり、前記金属環と、前記金属枠を気密性のある部材で固着したことを特徴とする内視鏡装置。
【００６６】
９．付記７において、
前記金属環と、金属枠を固着する部材は、半田であることを特徴とする内視鏡。
１０．付記７において、
前記金属枠の近位端には半田を注入する孔または切り欠きを設けたことを特徴とする内視鏡。
【００６７】
【発明の効果】
以上説明したように本発明によれば、気密構造の撮像系或いは観察系を硬質の先端部長を長くしたり、外径を太くせずに先端部内に配置できる。
【図面の簡単な説明】
【図１】本発明の第１の実施の形態の電子内視鏡の構成を一部切り欠いて示す全体構成図。
【図２】先端構成部内の撮像ユニットの構成を示す断面図。
【図３】図２におけるＣＣＤとフレキシブルプリント基板との接続部を拡大して示す断面図。
【図４】本発明の第２の実施の形態のファイバスコープの構成を一部切り欠いて示す全体構成図。
【図５】先端構成部内の観察ユニットの構成を示す断面図。
【符号の説明】
１…電子内視鏡
２…挿入部
６…先端構成部
１１…ライトガイド
１７…撮像ユニット
１８…撮像ケーブル
１９…保護チューブ
３１…対物レンズ系
３２ａ〜３２ｄ…レンズ
３３…レンズ枠
３４…ＣＣＤ枠
３５…カバーガラス
３６…ＣＣＤ
３７…ＦＰＣ
３８…硬質基板
３９…チップコンデンサ
４０…ＩＣチップ
５０…ケーブル押さえ糸
５１…シールド枠
５２…封止樹脂
５３…金属環
５４…金属枠
５６…半田注入用孔
５７…半田
【図１】
0004119553.tif 000002
【図２】
0004119553.tif 000003
【図３】
0004119553.tif 000004
【図４】
0004119553.tif 000005
【図５】
0004119553.tif 000006